【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】  
基板面を有する射出成型ランナーノズルノためのヒータであって、
ａ）前記基板面上に設けられたファイン膜プリントの誘電体層と、
ｂ）この誘電体層上に設けられたファイン膜プリントの抵抗体の層と、
ｃ）電源への電気的接続のために、前記抵抗体と電気的に接触したファイン膜プリントのターミナルコンタクトと、
ｄ）前記抵抗体の層上にプリントされたグレーズ層とを具備するヒータ。
【請求項２】  
前記基板面は、非平面である請求項１のヒータ。
【請求項３】
前記非平面は、円筒面である請求項２のヒータ。
【請求項４】
前記円筒面は、ランナーノズルの本体を中心として同軸的に配置される加熱チューブの外表面である請求項３のヒータ。
【請求項５】
前記円周面は、ランナーノズルの本体を中心として同軸的に配置される加熱チューブの内表面である請求項３のヒータ。
【請求項６】
前記円周面は、ランナーノズルの本体の外表面である請求項３のヒータ。
【請求項７】
前記抵抗体は、平行に周方向に均一にスパイラル状に巻かれた連続した抵抗トレースである請求項６のヒータ。
【請求項８】
前記スパイラル状に巻かれた抵抗トレースは、１８０度の曲げ部を有する抵抗トレースにより端部で電気的に接続されている請求項７のヒータ。
【請求項９】
前記誘電体層と抵抗体の層との間にプリントされた温度感知層をさらに具備する請求項６のヒータ。
【請求項１０】
ａ）ランナーノズルの外側物質加熱面上に誘電体層を、精密ファイン膜プリントする工程と、
ｂ）この誘電体層上に抵抗体の層を精密ファイン膜プリントする工程と、
ｃ）この抵抗体と電気的に接続したターミナルコンタクトを精密ファイン膜プリントする工程と、
ｄ）前記抵抗体の層上に保護覆いグレーズを精密ファイン膜プリントする工程と、
ｅ）前記ターミナルコンタクトに電力を与える工程とを具備する加熱方法。
【請求項１１】
前記精密ファイン膜プリントを、非平面上にする請求項１０の方法。
【請求項１２】
前記非平面は、円筒面であり、また、前記工程（ｂ）の間にノズルの軸を中心として非平面に対してプリントヘッドを回転させる工程をさらに具備する請求項１１の方法。
【請求項１３】
前記円筒面は、ランナーノズルの本体を中心として同軸的に配置される筒状のヒータの外表面である請求項１２の方法。
【請求項１４】
前記円筒面は、ランナーノズルの本体を中心として同軸的に配置される筒状のヒータの内表面である請求項１２の方法。
【請求項１５】
前記円周面は、ランナーノズルの本体の外表面である請求項１２の方法。
【請求項１６】
前記プリントは、２重のトレースが１８０度で終端している所での平行に周方向に均一にスパイラル状に巻かれた連続した抵抗トレースでなされる請求項１５の方法。
【請求項１７】
複数の続く誘電体層を精密ファイン膜プリントする工程と、
交互になるように連続した複数の抵抗体の層を精密ファイン膜プリントする工程とをさらに具備する請求項１５の方法。
【請求項１８】
前記誘電体層と抵抗体の層との間に温度感知層を精密ファイン膜プリントする工程をさらに具備する請求項１７の方法。
【請求項１９】
射出成型ランナーノズルの外側基板面と、
精密ファイン膜プリントにより、前記基板面上に形成された誘電体層と、
精密ファイン膜プリントにより、前記誘電体層上に形成された抵抗体の層と、
精密ファイン膜プリントにより形成され、前記抵抗体と電気的に接触するように電源に接続されるターミナルトレースと、
プリントにより、前記抵抗体の層上に形成されたグレーズ層とを具備するヒータ。
【請求項２０】
前記抵抗体の層と誘電体層とは、非平面の基板面に非平面の層をプリントすることにより形成される請求項１９のヒータ。
【請求項２１】
前記非平面の層は、円筒状の基板面に円筒状の層をプリントすることにより形成され請求項２０のヒータ。
【請求項２２】
前記円筒状の基板面は、ランナーノズルの本体を中心として同軸的に配置されたチューブの外表面である請求項２１のヒータ。
【請求項２３】
前記円筒状の基板面は、ランナーノズルの本体の外表面である請求項２２のヒータ。
【請求項２４】
前記抵抗体は、１８０度で終端した曲げ部と合う、平行に周方向に均一にスパイラル状に巻かれた連続した抵抗トレースのパターンにプリントされることにより形成される請求項２３のヒータ。
【請求項２５】
ファイン膜プリントにより形成された複数の抵抗体の層と、
ファイン膜プリントにより、交互に形成された複数の誘電体層とをさらに具備する請求項２３のヒータ。
【請求項２６】
前記誘電体層と抵抗体の層との間にファイン膜プリントにより形成された温度感知層を具備する請求項２３のヒータ。
【請求項２７】
外側の基板面を備えた射出成型ランナーノズル本体であって、
ａ）前記基板面上にプリントされたファイン膜の誘電体層と、
ｂ）加熱のために前記誘電体層上にプリントされたファイン膜の抵抗体の層と、
ｃ）電源への電気的接続のために、前記抵抗体と電気的に接触するようにプリントされたファイン膜のターミナルコンタクトと、
ｄ）前記抵抗体の層上にプリントされた覆いグレーズ層とを具備する本体。
【請求項２８】
外側の基板面を備え、同軸的に配置された円筒スリーブを有する射出成型ランナーノズルであって、
ａ）前記基板面上にプリントされたファイン膜の誘電体層と、
ｂ）加熱のために前記誘電体層上にプリントされたファイン膜の抵抗体の層と、
ｃ）電源への電気的接続のために、前記抵抗体と電気的に接触するようにプリントされたファイン膜のターミナルコンタクトと、
ｄ）前記抵抗体の層上にプリントされた覆いグレーズ層とを具備する本体。
【請求項２９】
基板面を有する射出成型ランナーノズルであって、
ａ）前記基板面に設けられた誘電体層と、
ｂ）この誘電体層上に設けられたファイン膜プリントの抵抗体の層と、
ｃ）電源への電気接続のために、前記抵抗体と電気接触するように設けられたターミナルコンタクトと、
ｄ）前記抵抗体の層上に設けられた覆いグレーズ層とを具備している射出成型ランナーノズル。
【請求項３０】
ａ）射出成型ランナーノズルと、
ｂ）この射出成型ランナーノズルの近くに配置された基板と、
ｃ）この基板に設けられた誘電体層と、
ｄ）この誘電体層上に設けられたファイン膜プリントの抵抗体の層と、
ｅ）電源への電気接続のために、前記抵抗体と電気接触するように設けられたターミナルコンタクトと、
ｆ）前記抵抗体の層上に設けられた覆いグレーズ層とを具備しているヒータシステム。
【請求項３１】
誘電体層と、
この誘電体層上に精密ファイン膜プリントによって形成された抵抗体の層と、
電源への電気接続のために、前記抵抗体と電気接触するように設けられたターミナルコンタクトと、
前記抵抗体の層上に設けられた覆いグレーズ層とを具備しているヒータ。
【請求項３２】
基板と、
この基板上に設けられた誘電体層と、
この誘電体層上に精密ファイン膜プリントによって形成された抵抗体の層と、
電源への電気接続のために、前記抵抗体と電気接触するように設けられたターミナルコンタクトと、
前記抵抗体の層上に設けられた覆いグレーズ層とを具備しているヒータ。
【請求項３３】
厚膜ヒータの精密ファイン膜プリントの抵抗体の層に電力を供給する工程を具備している加熱方法。
【請求項３４】
ヒータを形成する方法であって、
ａ）基板上に誘電体層を設ける工程と、
ｂ）この誘電体層上に抵抗体の層を精密ファイン膜プリントする工程と、
ｃ）この抵抗体と電気接触するようにターミナルコンタクトを設ける工程と、
ｄ）前記抵抗体の層上に保護覆いグレーズを設ける工程とを具備している方法。
【請求項３５】
精密ファイン膜プリントによって形成された圧膜ヒータで使用するための抵抗体の層。